(57)【要約】【課題】ビルの部屋間やフロア間の通信を床や壁の孔開け工事無しに確立する。【解決手段】壁もしくは床を隔てて隔離された２つの部屋があるとき、一方の部屋の窓ガラス１０を挟んで屋内側に配置した屋内光ビーム通信ユニット１２と、屋外側に配置した屋外光ビーム通信ユニット２５と、他方の部屋の窓ガラスを挟んで屋内側に配置した屋内光ビーム通信ユニットと、屋外側に配置した屋外光ビーム通信ユニットと、一方の部屋の屋外光ビーム通信ユニットと他方の部屋の屋外光ビーム通信ユニットとを接続する通信ケーブル２６とを備える。【選択図】図３
2007228466.tif 000002
【特許請求の範囲】
【請求項１】
壁もしくは床を隔てて隔離された２つの部屋があるとき、
一方の部屋の窓ガラスを挟んで屋内側に配置した屋内光ビーム通信ユニットと、
他方の部屋の窓ガラスを挟んで屋内側に配置した屋内光ビーム通信ユニットと、
前記一方の部屋の屋内光ビーム通信ユニットの出力光を前記他方の部屋の屋内光ビーム通信ユニットに案内し、前記他方の部屋の屋内光ビーム通信ユニットの出力光を前記一方の部屋の屋内光ビーム通信ユニットに案内する光ガイドとを備えたことを特徴とする隔離された部屋間の通信装置。
【請求項２】
壁もしくは床を隔てて隔離された２つの部屋があるとき、
一方の部屋の窓ガラスを挟んで屋内側に配置した屋内光ビーム通信ユニットと、屋外側に配置した屋外光ビーム通信ユニットと、
他方の部屋の窓ガラスを挟んで屋内側に配置した屋内光ビーム通信ユニットと、屋外側に配置した屋外光ビーム通信ユニットと、
前記一方の部屋の屋外光ビーム通信ユニットと前記他方の部屋の屋外光ビーム通信ユニットとを接続する２芯光ファイバケーブルとを備え、
前記２芯光ファイバケーブルは、上り用光ファイバと下り用光ファイバとを備え、
前記一方の部屋の屋外光ビーム通信ユニットは、前記一方の部屋の屋内光ビーム通信ユニットから受信した光ビームを集光して前記上り用光ファイバに導入し、
前記他方の部屋の屋外光ビーム通信ユニットは、前記上り用光ファイバの出力光を拡径した光ビームを、前記他方の部屋の屋内光ビーム通信ユニットに向けて出力し、
前記他方の部屋の屋外光ビーム通信ユニットは、前記他方の部屋の屋内光ビーム通信ユニットから受信した光ビームを集光して前記下り用光ファイバに導入し、
前記一方の部屋の屋外光ビーム通信ユニットは、前記下り用光ファイバの出力光を拡径した光ビームを、前記一方の部屋の屋内光ビーム通信ユニットに向けて出力することを特徴とする隔離された部屋間の通信装置。
【請求項３】
壁もしくは床を隔てて隔離された２つの部屋があるとき、
一方の部屋の窓ガラスを挟んで屋内側に配置した屋内光ビーム通信ユニットと、屋外側に配置した屋外光ビーム通信ユニットと、
他方の部屋の窓ガラスを挟んで屋内側に配置した屋内光ビーム通信ユニットと、屋外側に配置した屋外光ビーム通信ユニットと、
前記一方の部屋の屋外光ビーム通信ユニットと前記他方の部屋の屋外光ビーム通信ユニットとを接続する通信ケーブルとを備えたことを特徴とする隔離された部屋間の通信装置。
【請求項４】
請求項３に記載の隔離された部屋間の通信装置において、
前記屋内光ビーム通信ユニットと屋外光ビーム通信ユニットは、それぞれ、電気信号から光信号に変換されて拡径された所定幅の光ビームを光ガイドに向けて送信し、光ガイドから所定幅の光ビームを受信したときその光ビームを絞って電気信号に変換することを特徴とする隔離された部屋間の通信装置。
【請求項５】
請求項２または３に記載の隔離された部屋間の通信装置において、
前記光ビーム通信ユニットは、前記屋内側と屋外側において、発光素子または受光素子を、互いに対向するように配置したものであることを特徴とする隔離された部屋間の通信装置。
【請求項６】
請求項１乃至３に記載の隔離された部屋間の通信装置において、
屋内光ビーム通信ユニットは、光無線ローカルエリアネットワーク用ルータであることを特徴とする隔離された部屋間の通信装置。
【発明の詳細な説明】
【技術分野】
【０００１】
本発明は、ビルの部屋間やフロア間の通信を床や壁の孔開け工事無しに確立できる、隔離された部屋間の通信装置に関する。
【背景技術】
【０００２】
コンピュータ間通信のために、有線あるいは無線のローカルエリアネットワーク（ＬＡＮ）が利用される（特許文献１参照）。例えば、オフィスビルや工場内では、各部屋にＬＡＮケーブルを布設し、各部屋の壁を貫通させた接続用のケーブルを用いて各ＬＡＮケーブルを結んでいる（特許文献２参照）。
【特許文献１】特開２００５−１８４２９９号公報
【特許文献２】特開２００２−１６４８９５号公報
【発明の開示】
【発明が解決しようとする課題】
【０００３】
ここで、従来の技術には、次のような解決すべき課題があった。
新たにビルの複数の部屋間をＬＡＮケーブルで接続しようとすると、床や壁を貫通させてＬＡＮケーブルを布設しなければならない。しかし、テナントビル等では、ビルの床や壁に自由に孔を開けることが許可されないことも多い。また、不用意に孔を開けると建物の強度に影響を及ぼすおそれもある。さらに、既存の管路や貫通孔があっても、既設のケーブル等で塞がっていることもある。無線通信による方法もあるが、法規制上信号強度をあまり高く設定できないし、通信速度も制限される。また、傍受することが可能でセキュリティ上の問題もある。
本発明は以上の課題を解決するためになされたもので、ビルの部屋間やフロア間の通信を床や壁の孔開け工事無しに確立できる通信装置を提供することを目的とする。
【課題を解決するための手段】
【０００４】
本発明の各実施例においては、それぞれ次のような構成により上記の課題を解決する。
〈構成１〉
壁もしくは床を隔てて隔離された２つの部屋があるとき、一方の部屋の窓ガラスを挟んで屋内側に配置した屋内光ビーム通信ユニットと、他方の部屋の窓ガラスを挟んで屋内側に配置した屋内光ビーム通信ユニットと、上記一方の部屋の屋内光ビーム通信ユニットの出力光を上記他方の部屋の屋内光ビーム通信ユニットに案内し、上記他方の部屋の屋内光ビーム通信ユニットの出力光を上記一方の部屋の屋内光ビーム通信ユニットに案内する光ガイドとを備えたことを特徴とする隔離された部屋間の通信装置。
【０００５】
一方の部屋の屋内光ビーム通信ユニットと他方の部屋の屋内光ビーム通信ユニットとを光ガイドを用いて接続する。減衰の小さな短距離通信が可能な場合には、電気信号への変換と逆変換処理が不要である。また、光ガイドを光学系のみで構成して電源不要の通信路を形成できる。
【０００６】
〈構成２〉
壁もしくは床を隔てて隔離された２つの部屋があるとき、一方の部屋の窓ガラスを挟んで屋内側に配置した屋内光ビーム通信ユニットと、屋外側に配置した屋外光ビーム通信ユニットと、他方の部屋の窓ガラスを挟んで屋内側に配置した屋内光ビーム通信ユニットと、屋外側に配置した屋外光ビーム通信ユニットと、上記一方の部屋の屋外光ビーム通信ユニットと上記他方の部屋の屋外光ビーム通信ユニットとを接続する２芯光ファイバケーブルとを備え、上記２芯光ファイバケーブルは、上り用光ファイバと下り用光ファイバとを備え、上記一方の部屋の屋外光ビーム通信ユニットは、上記一方の部屋の屋内光ビーム通信ユニットから受信した光ビームを集光して上記上り用光ファイバに導入し、上記他方の部屋の屋外光ビーム通信ユニットは、上記上り用光ファイバの出力光を拡径した光ビームを、上記他方の部屋の屋内光ビーム通信ユニットに向けて出力し、上記他方の部屋の屋外光ビーム通信ユニットは、上記他方の部屋の屋内光ビーム通信ユニットから受信した光ビームを集光して上記下り用光ファイバに導入し、上記一方の部屋の屋外光ビーム通信ユニットは、上記下り用光ファイバの出力光を拡径した光ビームを、上記一方の部屋の屋内光ビーム通信ユニットに向けて出力することを特徴とする隔離された部屋間の通信装置。
【０００７】
構成１の光ガイドの代わりに、２芯光ファイバケーブルを使用する。従って、細くて柔軟で、屈曲した場所にも布設できる。しかも、光電変換を必要としないから、屋外光ビーム通信ユニットに電源の供給が不要である。
【０００８】
〈構成３〉
壁もしくは床を隔てて隔離された２つの部屋があるとき、一方の部屋の窓ガラスを挟んで屋内側に配置した屋内光ビーム通信ユニットと、屋外側に配置した屋外光ビーム通信ユニットと、他方の部屋の窓ガラスを挟んで屋内側に配置した屋内光ビーム通信ユニットと、屋外側に配置した屋外光ビーム通信ユニットと、上記一方の部屋の屋外光ビーム通信ユニットと上記他方の部屋の屋外光ビーム通信ユニットとを接続する通信ケーブルとを備えたことを特徴とする隔離された部屋間の通信装置。
【０００９】
一方の部屋の屋外光ビーム通信ユニットと他方の部屋の屋外光ビーム通信ユニットとを通信ケーブルで接続すれば、屋内の床や壁を貫通させてケーブル通信ケーブルを布設する工事が不要になる。また、建物の窓の最適な場所に光ビーム通信ユニットを配置でき、屋内配線を最短距離にできる。
【００１０】
〈構成４〉
構成３に記載の隔離された部屋間の通信装置において、上記屋内光ビーム通信ユニットと屋外光ビーム通信ユニットは、それぞれ、電気信号から光信号に変換されて拡径された所定幅の光ビームを光ガイドに向けて送信し、光ガイドから所定幅の光ビームを受信したときその光ビームを絞って電気信号に変換することを特徴とする隔離された部屋間の通信装置。
【００１１】
光−電気変換と逆変換は屋内光ビーム通信ユニットで行えばよい。例えば、屋外光ビーム通信ユニットは、赤外線を使用したパッシブエクステンダにより構成することができる。
【００１２】
〈構成５〉
構成２または３に記載の隔離された部屋間の通信装置において、上記光ビーム通信ユニットは、上記屋内側と屋外側において、発光素子または受光素子を、互いに対向するように配置したものであることを特徴とする隔離された部屋間の通信装置。
【００１３】
発光素子と受光素子により光変換処理と逆変換処理をして、信号を伝送する。一般の通信ケーブルを使用できるので、布設ルートを直線的にしなくてもよく、制約が少ないという効果がある。
【００１４】
〈構成６〉
構成１乃至３に記載の隔離された部屋間の通信装置において、屋内光ビーム通信ユニットは、光無線ローカルエリアネットワーク用ルータであることを特徴とする隔離された部屋間の通信装置。
【００１５】
既存の光無線ローカルエリアネットワーク用ルータを屋内側に配置して、接続コストを低減することができる。
【発明を実施するための最良の形態】
【００１６】
本発明では、ビルの部屋間、フロア間の通信を、床や壁の孔開け工事無しに実現する。以下、本発明の実施の形態を実施例毎に詳細に説明する。
【実施例１】
【００１７】
図１は、実施例１の通信装置側面図である。
この装置は２つの部屋を窓ガラス越しに接続する機能を持つ。上階にある部屋には、窓ガラス１０の内側、即ち部屋の中に、通信制御装置１１と光ビーム通信ユニット１２を配置している。下階にある部屋についても同様である。下階の部屋の内部には、通信制御装置１８と光ビーム通信ユニット１７を配置している。通信制御装置１１は、上階の部屋の内部ＬＡＮ（ローカルエリアネットワーク）等に接続されている。電話回線等でも構わない。通信制御装置１８は、下階の部屋の内部ＬＡＮ等に接続されている。
【００１８】
光ビーム通信ユニット１２は、通信制御装置１１と通信用の電気信号を送受信する。そして、送信用の電気信号を光ビーム１３に変換して窓ガラス１０の外側に向けて放射する。また、窓ガラス１０を通して入力する光ビーム１３を受信用の電気信号に変換して、通信制御装置１１に転送する。光ビーム１３は、例えば、赤外光からなる。可視光でも構わない。光ビーム通信ユニット１７も同様に、通信制御装置１８と通信用の電気信号を送受信する。そして、送信用の電気信号を光ビーム１３に変換して窓ガラス１９の外側に向けて放射する。また、窓ガラス１９を通して入力する光ビーム１３を受信用の電気信号に変換して、通信制御装置１１に転送する。
【００１９】
窓ガラス１０と窓ガラス１９の外側には、パイプ状の光ガイド１４が配置されている。この光ガイド１４の中には２枚の反射鏡１５、１６が設けられている。これらの反射鏡は光ビーム通信ユニット１２の出力する光ビーム１３を反射して光ビーム通信ユニット１７に向け案内する。また、光ビーム通信ユニット１７から出力された光ビーム１３を反射して光ビーム通信ユニット１２へ案内する。こうして、光ビーム通信ユニット１２と光ビーム通信ユニット１７とは、光ビーム１３を使用した双方向通信が可能になる。
【００２０】
図２は、上記の装置をビルの外側から見た斜視図である。
ビル２０の上下に隣り合わせた２つのフロアの間に、図１を用いて説明した光ガイド１４が取り付けられている。この光ガイド１４は、ビル２０の外壁に任意の手段で固定される。そして、上階の窓ガラス１０と下階の窓ガラス１９の内側に配置された光ビーム通信ユニット１２と１７に対して、それぞれ窓越しに光結合している。以上のような構成にすればそれぞれの階に窓が存在する限り、床や壁に孔を開けることなく別の階の部屋との間で光ビームを用いた通信が可能になる。
【００２１】
図２に示した例では、上階とその下の階との間の通信接続を行った。しかしながら階を隔てた部屋の間あるいは壁を隔てた隣り同士の部屋の間でも同様の接続が可能である。しかも室内で電気ケーブルを張り巡らす必要がない。各部屋の窓に近い場所に例えばパーソナルコンピュータなどの端末装置がある場合、各端末装置を最短距離の配線を用いて窓際の通信制御装置に接続し、隣接する部屋間の通信は屋外に設けられた光ガイド１４を用いて接続するから、室内の美観を損なうことがない。無線ＬＡＮでは無いから、きわめてセキュリティの高い高速通信が可能である。
【００２２】
以上の装置は、発光素子や光学系により、拡径された所定幅の光ビームを生成し、これを光ガイドで伝送し、再びその光ビームを絞って電気信号に変換する。窓の外部にある装置には、電子回路が含まれない。従って、パッシブエクステンダによって、電力を使わずに、隣接する部屋あるいは上下の階の間で、通信をすることができる。
【実施例２】
【００２３】
図３は実施例２の通信装置の側断面図である。
上記の例では、光ビームを案内する光ガイドを用いて部屋間の通信接続を行った。この例では、部屋間の接続を通信ケーブル２６で行う。窓越しに２台の光ビーム通信ユニット１２と２５を対向させて配置する。例えば、上階の部屋の窓ガラス１０を挟んで、光ビーム通信ユニット１２と２５を配置した。窓ガラス１０の屋内側のものを、屋内光ビーム通信ユニット１２と呼ぶことにする。この屋内光ビーム通信ユニット１２には、通信制御装置１１が接続されている。
【００２４】
屋内光ビーム通信ユニット１２の中には、基板３０に搭載された発光素子３１と受光素子３２が設けられている。発光素子３１の出力光は、レンズ３３により所定の幅の光ビーム１３に調整される。そして窓ガラス１０を通じて外側に発射される。窓ガラス１０の屋外側には、屋外光ビーム通信ユニット２５が配置されている。この屋外光ビーム通信ユニット２５は、基板３５に受光素子３６と発光素子３７を搭載したものを備える。下階側も、全く同様の構成にするとよい。
【００２５】
受光素子３６は、レンズ３８により集められた光を受信して電気信号に変換する。この電気信号は通信ケーブル２６を通じて、例えば、下階の図示しない光ビーム通信ユニットに送信される。また、発光素子３７は、通信ケーブル２６を通じて入力した電気信号を光に変換する。この出力光はレンズ３９によって所定幅の光ビーム１３に調整される。窓ガラス１０の外から屋内に向かって発射された光ビームは、屋内光ビーム通信ユニット１２のレンズ３４により絞られ、集光されて受光素子３２に入力する。受光素子３２は入力した光を電気信号に変換して通信制御装置１１に送る。このように、窓ガラス１０を挟んで屋内側と屋外側とに光ビーム通信ユニット１２と２５を配置して、発光素子と受光素子とを対向させて通信を行うことで、壁や床に孔を開けずに通信ができる。通信ケーブル２６は柔軟だから、屋外側で自由に配線をして任意の部屋の間の通信を可能にする。
【実施例３】
【００２６】
図４は実施例３の通信装置の側断面図である。
この通信装置の屋外光ビーム通信ユニット２５は、実施例２のものと同一の構造をしている。一方、屋内側には、光無線ローカルエリアネットワーク用のルータ４１を配置する。ケーブル４４は、例えば、外部ネットワークに接続される。ルータ４１は、例えば、赤外線ビームを上階の室内に放射して、上階の室内に配置された様々な機器をローカルエリアネットワークに無線接続する機能を持つ。ルータ４１は、即ち、図示しない各機器と赤外線ビームにより通信している。この赤外線ビームをそのまま利用して、ルータ４１と屋外光ビーム通信ユニット２５とが通信をする。下階側も、全く同様の構成にするとよい。
【実施例４】
【００２７】
図５は、実施例４の通信装置の側断面図である。
この実施例も、壁や床を隔てて隔離された２つの部屋があるときに利用される。この一方の部屋の窓ガラス１０を挟んで、屋内側に配置した屋内光ビーム通信ユニット１２と、屋外側に配置した屋外光ビーム通信ユニット２２を備える。屋内光ビーム通信ユニット１２の構成は、実施例２のものと全く同一である。従って、同一の符号を付した。他方の部屋の屋内光ビーム通信ユニットと屋外光ビーム通信ユニットの構成は、一方の部屋のものと変わらないので、これらを破線で表示して、その説明を省略する。さらに、一方の部屋の屋外光ビーム通信ユニットと他方の部屋の屋外光ビーム通信ユニットとを接続するための、２芯光ファイバケーブル２１を備える。この２芯光ファイバケーブル２１は、上り用光ファイバ２８と下り用光ファイバ２９とを備える。
【００２８】
上記屋外光ビーム通信ユニット２２は、実施例２と同様に、入力する光ビーム１３を集光するレンズ３８を備える。また、上記屋外光ビーム通信ユニット２２は、屋内光ビーム通信ユニット１２から受信した光ビーム１３を、レンズ３８とともに、集光して上り用光ファイバ２８に導入する集光部２３を備える。集光部２３は、例えば、既知のコリメータ等により実現できる。また、屋外光ビーム通信ユニット２２は、レンズ３９とともに、下り用光ファイバ２９の出力光を拡径して光ビーム１３にして、屋内光ビーム通信ユニット１２に向けて出力する拡径部２４を備える。拡径部２４は、既知の光エクステンダ等により実現できる。この実施例の屋外光ビーム通信ユニットは、光電変換を必要としないので電源は不要である。
【００２９】
図６は、実施例２や実施例４の装置の概略外観斜視図である。
図のように、任意の部屋の窓ガラス１０ａ越しに、屋内光ビーム通信ユニット１２ａと屋外光ビーム通信ユニット２５ａとを配置する。屋内光ビーム通信ユニット１２ａには、室内ＬＡＮケーブル４６ａを接続する。また、別の部屋の窓ガラス１０ｂ越しに、屋内光ビーム通信ユニット１２ｂと屋外光ビーム通信ユニット２５ｂとを配置する。屋内光ビーム通信ユニット１２ｂには、室内ＬＡＮケーブル４６ｂを接続する。そして、一方の部屋の屋外光ビーム通信ユニット２５ａと他方の部屋の屋外光ビーム通信ユニット２５ｂとを、通信ケーブル２６で接続する。このような構成のネットワークを自由に構築して、ビル内部の配線上の美感を損なうこと無く、また、壁等に孔を開けることなく、高速データ通信が可能になる。
【比較例１】
【００３０】
図７は比較例のビル断面図である。
この図の（ａ）に示すように、従来方法によれば、上階の通信装置６に接続された通信ケーブル７は、床に設けられた貫通孔２を通じて、下階の通信装置８に接続される。このような貫通孔２は、どのビルでも一般に必ず設けられているが、既存のケーブルや配管で一杯だと、新たな通信ケーブルの割り込みは容易でない。通信ケーブルの端末にコネクタが取り付けられていると、貫通孔２を通し難い。また、（ｂ）の例では、上階の壁５に設けられた貫通孔３を通じて、通信ケーブル７が引き出されている。この通信ケーブル７は、上階から下階まで延長され、下階の壁５に設けられた貫通孔３を通じて、下階の室内に引き込まれている。この場合にも、通信ケーブルの端末にコネクタが取り付けられていると、工事が容易でない。
【００３１】
これらと比較すると、上記の実施例の装置は、屋内のユニットと屋外のユニットとが物理的に分離されているので、屋外工事と屋内工事をそれぞれ独立に行える。貫通孔を通す工事が無いので、ほぼ全てのユニットを工場で組み立てて調整し、現場では固定作業と微調整のみで工事が完了する。従って、工事コストも十分に安くすることができる。
【００３２】
本発明は以上の実施例に限定されない。実施の対象はビルの異なるフロア間の通信だけではない。隣り合う部屋の通信にも使用できる。また、木造住宅でも利用できる。屋内光ビーム通信ユニットや屋外光ビーム通信ユニットは、光ビームを使用して一方向または双方向に通信ができる装置であればその構成は任意である。また、２つの部屋のみならず、３以上の部屋間の通信にも利用できる。屋外光ビーム通信ユニット間を接続する通信ケーブルはメタルケーブルでも光ケーブルでも構わない。また、光ビームは、可視光でも赤外光でもよい。また、各種の波長の光が混在していても構わない。
【図面の簡単な説明】
【００３３】
【図１】実施例１の通信装置側面図である。
【図２】通信装置をビルの外側から見た斜視図である。
【図３】実施例２の通信装置の側断面図である。
【図４】実施例３の通信装置の側断面図である。
【図５】実施例４の通信装置の側断面図である。
【図６】実施例２や実施例４の装置の概略外観斜視図である。
【図７】比較例のビル断面図である。
【符号の説明】
【００３４】
１０  窓ガラス
１１  通信制御装置
１２  光ビーム通信ユニット
１８  通信制御装置
１７  光ビーム通信ユニット
１９  窓ガラス
１４  光ガイド
１５、１６  反射鏡
１３  光ビーム
【図１】
2007228466.tif 000003
【図２】
2007228466.tif 000004
【図３】
2007228466.tif 000005
【図４】
2007228466.tif 000006
【図５】
2007228466.tif 000007
【図６】
2007228466.tif 000008
【図７】
2007228466.tif 000009
【手続補正書】
【提出日】平成18年3月2日(2006.3.2)
【手続補正１】
【補正対象書類名】明細書
【補正対象項目名】００１１
【補正方法】変更
【補正の内容】
【００１１】
光−電気変換と逆変換は屋内光ビーム通信ユニットで行えばよい。例えば、屋外光ビーム通信ユニットは、赤外線を使用することができる。
【手続補正２】
【補正対象書類名】明細書
【補正対象項目名】００１８
【補正方法】変更
【補正の内容】
【００１８】
光ビーム通信ユニット１２は、通信制御装置１１と通信用の電気信号を送受信する。そして、送信用の電気信号を光ビーム１３に変換して窓ガラス１０の外側に向けて放射する。また、窓ガラス１０を通して入力する光ビーム１３を受信用の電気信号に変換して、通信制御装置１１に転送する。光ビーム１３は、例えば、赤外光からなる。可視光でも構わない。光ビーム通信ユニット１７も同様に、通信制御装置１８と通信用の電気信号を送受信する。そして、送信用の電気信号を光ビーム１３に変換して窓ガラス１９の外側に向けて放射する。また、窓ガラス１９を通して入力する光ビーム１３を受信用の電気信号に変換して、通信制御装置１８に転送する。
【手続補正３】
【補正対象書類名】明細書
【補正対象項目名】００２２
【補正方法】変更
【補正の内容】
【００２２】
以上の装置は、発光素子や光学系により、拡径された所定幅の光ビームを生成し、これを光ガイドで伝送し、再びその光ビームを絞って電気信号に変換する。窓の外部にある装置には、電子回路が含まれない。従って、電力を使わずに、隣接する部屋あるいは上下の階の間で、通信をすることができる。